(57)【要約】    【課題】操作が容易な状態で動作可能な複合機を提供する。    【解決手段】複合機を、パネル２０を閉じると、タッチスクリーン３１及びカラーＬＣＤ２１が隠れる装置であると共に、操作パネルユニット１３の本体１５上に設けられている複数のボタンの割付を，パネル２０が開かれているか閉じられているかによって変更する機能を有する装置として構成しておく。    【選択図】  図２
2007088696.tif 000002
【特許請求の範囲】
【請求項１】
第１ＬＣＤと複数のボタンとが設けられている本体に、第２ＬＣＤが設けられているパネル部を、開閉操作可能なように，かつ，パネル部を閉じたときに，第１ＬＣＤと第２ＬＣＤが向かい合った，前記複数のボタンがパネル部によって隠されない状態が形成されるように取り付けた構成を有する操作パネルと、
前記操作パネルを，自身が実行すべき処理の内容をユーザに指定させるためのユーザ・インタフェースとして動作させ、ユーザによって指定された内容の処理を実行する制御部であって、前記操作パネルの前記パネル部が開かれているか閉じられているかによって、前記複数のボタンのボタン割付を変更する機能を有する制御部と
を備えることを特徴とする複合機。
【請求項２】
前記制御部が、ファクシミリの送信／受信処理を行えるユニットであり、
前記操作パネルの前記複数のボタンが、ファクシミリに関する設定を行うためのボタンである
ことを特徴とする請求項１記載の複合機。
【請求項３】
前記制御部が、前記操作パネルの前記パネル部が閉じられた際に、省電力モードでの動作、前記複数のボタンのボタン割付を前記パネル部が閉じられている場合用のものに変更した動作モードでの動作の中の，指定されている方の動作を開始するユニットである
ことを特徴とする請求項１又は請求項２に記載の複合機。
【請求項４】
前記操作パネルの前記複数のボタンのそれぞれが、ＬＥＤを内蔵したボタンであり、
前記制御部が、前記複数のボタン内のＬＥＤの状態を、各ボタンの操作状況に応じたものに制御する機能を有するユニットである
ことを特徴とする請求項１乃至請求項３のいずれかに記載の複合機。
【請求項５】
前記操作パネルの前記第１ＬＣＤ上に，タッチパネルが設けられている
ことを特徴とする請求項１乃至請求項４のいずれかに記載の複合機。
【請求項６】
前記操作パネルの前記第１ＬＣＤが，モノクロＬＣＤであり、
前記操作パネルの前記第２ＬＣＤが，プレビュー画像を表示するためのカラーＬＣＤである
ことを特徴とする請求項１乃至請求項５のいずれかに記載の複合機。
【発明の詳細な説明】
【技術分野】
【０００１】
本発明は、複合機に関する。
【背景技術】
【０００２】
周知のように、近年、市販されている複合機は、操作パネル上のタッチスクリーンや押しボタンスイッチを操作することにより、コピー条件等に関するさまざまな設定が行える装置となっている。また、ＦＡＸの送受信機能を有する複合機の操作パネルには、テンキーも設けられている（例えば、非特許文献１参照。）ため、既存の複合機は、この種の機器の操作に慣れていない者にとっては、操作が難しそうに思える装置となっていた。
【０００３】
【非特許文献１】“CS-9000 操作ガイド”セイコーエプソン株式会社
【発明の開示】
【発明が解決しようとする課題】
【０００４】
本発明の課題は、操作が容易な状態で動作可能な複合機を、提供することにある。
【課題を解決するための手段】
【０００５】
上記課題を解決するために、本発明の複合機は、第１ＬＣＤと複数のボタンとが設けられている本体に、第２ＬＣＤが設けられているパネル部を、開閉操作可能なように，かつ，パネル部を閉じたときに，第１ＬＣＤと第２ＬＣＤが向かい合った，複数のボタンがパネル部によって隠されない状態が形成されるように取り付けた構成を有する操作パネルと、操作パネルを，自身が実行すべき処理の内容をユーザに指定させるためのユーザ・インタフェースとして動作させ、ユーザによって指定された内容の処理を実行する制御部であって、操作パネルのパネル部が開かれているか閉じられているかによって、複数のボタンのボタン割付を変更する機能を有する制御部とを、備える。
【０００６】
すなわち、本発明の複合機は、操作パネルに取り付けられているパネル部を閉じると、第１ＬＣＤ及び第２ＬＣＤが隠れる装置となっている。このため、パネル部が閉じられている状態にある本発明の複合機は、余分な情報がユーザに示されない分、操作が容易な（操作が容易そうに思える）装置として機能することになる。また、本発明の複合機は、操作パネルの本体上に設けられている複数のボタンの割付を，パネル部が開かれているか閉じられているかによって変更する機能を有している。従って、本発明の複合機は、パネル部が閉じられている状態で各種設定を行うための専用のボタン群を、操作パネル上に設けておかなくても製造可能な装置（つまり、安価に製造可能な装置）となっていることにもなる。
【０００７】
本発明の複合機は、さまざまな形で実現することが出来る。例えば、本発明の複合機を、ファクシミリの送信／受信処理を行える装置として実現する場合は、ファクシミリに関する設定を行うためのボタンに関する割付が変更されるように構成しておくことが出来る。
【０００８】
また、制御部として、操作パネルのパネル部が閉じられた際に、省電力モードでの動作、複数のボタンのボタン割付をパネル部が閉じられている場合用のものに変更した動作モードでの動作の中の，指定されている方の動作を開始するユニットを採用しておくことも出来る。
【０００９】
また、パネル部が閉じられている状態でも設定内容をユーザが把握できるようにするために、操作パネルの複数のボタンのそれぞれを、ＬＥＤを内蔵したボタンとしておき、制御部を、複数のボタン内のＬＥＤの状態を、各ボタンの操作状況に応じたものに制御する機能を有するユニットとしておくことも、出来る。
【００１０】
また、操作パネルの第１ＬＣＤ上にタッチパネルを設けておいても（第１ＬＣＤをタッチスクリーンとしておいても）良く、第１ＬＣＤをモノクロＬＣＤとし、第２ＬＣＤをプレビュー画像を表示するためのカラーＬＣＤとしておいても良い。
【発明を実施するための最良の形態】
【００１１】
以下、本発明を実施するための最良の形態を、図面を参照して詳細に説明する。
【００１２】
まず、図１乃至図３を用いて、本発明の一実施形態に係る複合機１０の概要を、説明する。
【００１３】
図１に示してあるように、本発明の一実施形態に係る複合機１０は、操作パネルユニット１３に，スキャナ１１とプリンタ１２とを接続した装置である。
【００１４】
この複合機１０に用いられているスキャナ１１は、コンピュータ，又は，ネットワークに接続して（操作パネルユニット１３に接続しなくても）使用することが可能なカラースキャナである。プリンタ１２は、コンピュータ，又は，ネットワークにに接続して使用することが可能なカラーレーザプリンタである。
【００１５】
操作パネルユニット１３は、複合機１０を、コピー機能，ファクシミリ機能，スキャンデータ保存機能，ダイレクト印刷機能等を有する装置として動作させるためのユニットである。
【００１６】
ここで、スキャンデータ保存機能とは、スキャナ１１にセットされている原稿のイメージデータファイルを，操作パネルユニット１３に装着されているＵＳＢメモリ（或いは、操作パネルユニット１３とネットワーク接続されているコンピュータのＨＤＤ）上に生成する機能のことである。また、ダイレクト印刷機能とは、操作パネルユニット１３に装着されているＵＳＢメモリに記憶されているファイルの印刷を行う機能のことである。
【００１７】
この操作パネルユニット１３は、図１に示してあるように、ＣＰＵ，メモリ制御ＡＳＩＣ〔ＳＤＲＡＭの制御機能や画像処理機能を有するＡＳＩＣ〕，ＩＯ制御ＡＳＩＣ，ネットワークインタフェース回路（ＮＷ−Ｉ／Ｆ），ＵＳＢインタフェース回路（ＵＳＢ−Ｉ／Ｆ），ＦＡＸ制御回路，ＳＤＲＡＭ，ＲＯＭ，カラーＬＣＤ２１，タッチスクリーン３１，各種のスイッチ（ＳＷ），ＬＥＤ等から構成されている。なお、本操作パネルユニット１３に用いられているカラーＬＣＤ２１は、６４０×４８０画素のものであり、タッチスクリーン３１は、６４０×２４０画素のモノクロＬＣＤ上にタッチパネルを重ねたものである。
【００１８】
また、操作パネルユニット１３は、図２に示してあるように、カラーＬＣＤ２１，十字ボタン２２（４方向プッシュ＋センタープッシュの複合スイッチ），キャンセルボタン２３，メニューボタン２４，プレビュー／プリントボタン２５及びパネルスイッチ（パネルＳＷ）２６が設けられているパネル２０を、タッチスクリーン３１や各種のスイッチ（押しボタンスイッチ）が設けられている本体１５に開閉操作が可能な形で取り付けた形状（構成）のユニットとなっている。
【００１９】
さらに、操作パネルユニット１３（本体１５）は、ＬＥＤを内蔵した押しボタンスイッチが，コピー機モード利用ボタン３２（図２(Ａ)，(Ｂ)），Ａ〜Ｈボタン（図３）等として用いられたユニットとなっている。
【００２０】
以上のことを前提に、以下、本実施形態に係る複合機１０（操作パネルユニット１３）の構成及び動作を、さらに具体的に説明する。
【００２１】
パネル２０の側面に設けられているパネルＳＷ２６（図２(Ｃ)参照）は、パネル２０が開かれている状態（以下、パネル開状態と表記する）における複合機１０（操作パネルユニット１３）の動作モードを、第１複合機モード（図における“プレビュー”），第２複合機モード（図における“ＯＦＦ”），ビューワモード（図における“ビューワ”）のいずれとするかを指定するためのスイッチである。
【００２２】
コピー機モード利用ボタン３２（図２(Ａ)，(Ｂ)参照）は、パネル２０が閉じられている状態（以下、パネル閉状態と表記する）における複合機１０（操作パネルユニット１３）の動作モードを、コピー機モードとするかパネル閉状態用省電力モードとするか（コピー機モードを利用するか否か）を指定するためのボタン（トグルスイッチ）である。
【００２３】
以下、各動作モードにおける操作パネルユニット１３の動作内容を、順に、説明する。
【００２４】
《ビューワモード》
ビューワモードは、上記したダイレクト印刷機能（操作パネルユニット１３に装着されているＵＳＢメモリに記憶されているファイルの印刷を行う機能）用の動作モードである。
【００２５】
このビューワモードでの動作を開始した操作パネルユニット１３（ＣＰＵ）は、まず、自ユニットの状態を，パネル２０上のカラーＬＣＤ２１及び各種スイッチだけが機能している状態（タッチスクリーン３１が動作／機能しておらず，本体１５上の各種ボタンが無効な状態）とするための処理を行う。
【００２６】
次いで、操作パネルユニット１３は、自ユニットにＵＳＢメモリが装着されることを監視する処理を開始する。
【００２７】
ＵＳＢメモリが装着されたことを検出した場合（及び、ビューワモードへの移行時にＵＳＢメモリが既に装着されていた場合）、操作パネルユニット１３は、そのＵＳＢメモリ上の各ファイルのプレビュー画像をカラーＬＣＤ２１上に表示する（図４参照）ことによってファイルをユーザに選択させ、ユーザが選択したファイルの印刷をプリンタ１２に行わせる処理（以下、ダイレクト印刷処理と表記する）を開始する。このダイレクト印刷処理は、キャンセルボタン２３が押下されたとき／ＵＳＢメモリが取り外されたときに、終了する処理となっており、ダイレクト印刷処理を終了した操作パネルユニット１３は、自ユニットにＵＳＢメモリが装着されること（或いは、ＵＳＢメモリが一旦取り外されてから再装着されること）を監視する処理を再び開始する。
【００２８】
なお、詳細説明は省略するが、ダイレクト印刷処理は、十字ボタン２２が操作されると，プレビュー画像が表示されるファイルが変更され、プレビュー／プリントボタン２５が押下されると、プレビュー画像が表示されているファイルの印刷が開始される処理となっている。さらに、ダイレクト印刷処理は、メニューボタン２４が操作されると，印刷条件を設定するための画面がカラーＬＣＤ２１上に表示される処理となっている。
【００２９】
このビューワモードは、無操作時間（ユーザによる操作が行われていない状態が継続した時間）が所定時間となったときに、省電力モードに移行する動作モードとなっている。
【００３０】
そして、本複合機１０（操作パネルユニット１３）の省電力モードは、タッチスクリーン３１のタッチパネルが操作されること，パネルＳＷ２６、操作パネル上の押しボタンスイッチが操作されること，及び，パネル２０が閉じられることが監視されるものとなっている。また、上記したパネル閉状態用省電力モードは、パネル２０が開かれることのみが監視されるものとなっている。
【００３１】
《コピー機モード》
コピー機モードは、操作パネルユニット１３が図５に示した手順で動作する動作モードである。
【００３２】
すなわち、コピー機モードでの動作を開始した操作パネルユニット１３は、まず、カラーＬＣＤ２１等の動作を停止させる（カラーＬＣＤ２１等によって電力が消費されない状態とする）ための処理(ステップＳ１０１)を行う。
【００３３】
要するに、パネル閉状態における動作モードであるコピー機モードは、カラーＬＣＤ２１及びタッチスクリーン３１を動作（機能）させても意味がない動作モードとなっている。このため、コピー機モードでの動作を開始した操作パネルユニット１３は、まず、それまで動作させていたカラーＬＣＤ２１等（カラーＬＣＤ２１及びタッチスクリーン３１，カラーＬＣＤ２１のみ、或いは、タッチスクリーン３１のみ；詳細は後述）の動作を停止させるための処理を行う。
【００３４】
次いで、操作パネルユニット１３は、Ａ〜Ｈボタンに関するボタン割付（機能割付）をコピー機用割付に変更する処理(ステップＳ１０２)を行う。ここで、コピー機用割付とは、図６に示してある内容のボタン割付（機能割付）のことである。なお、図中の複合機用割付は、Ａ〜Ｈボタンに関する通常のボタン割付（後述する第１，第２複合機モード時におけるボタン割付）である。
【００３５】
ステップＳ１０２（図５）の処理を終えた操作パネルユニット１３は、コピー条件（後述するステップＳ１０７におけるコピー制御処理で使用される情報）をデフォルトのものに初期化(ステップＳ１０３)してから、Ａ〜Ｈボタンやスタートボタン（図３参照）が押下されることと，パネル２０が開かれることとを監視する処理(ステップＳ１０４)を開始する。
【００３６】
そして、操作パネルユニット１３は、Ａ〜Ｈボタンが押下されたことを検出した場合(ステップＳ１０４；条件設定)には、コピー条件を，押下されたボタンに応じた内容のものに変更する処理(ステップＳ１０５)と、押下されたボタンのＬＥＤの状態（或いは、押下されたボタンのＬＥＤ及び他のボタンのＬＥＤの状態）を変更する処理(ステップＳ１０６)とを行う。なお、ステップＳ１０６の処理は、Ａ〜ＨボタンのＬＥＤを図７に示してあるように制御する処理となっている。
【００３７】
ステップＳ１０６の処理を終えた操作パネルユニット１３は、再び、Ａ〜Ｈボタン等の押下等を監視している状態(ステップＳ１０４）となる。そして、操作パネルユニット１３は、スタートボタンが押下されたことを検出した場合(ステップＳ１０４：スタートボタン押下)には、その時点におけるコピー条件に応じた内容のコピー制御処理（スキャナ１１及びプリンタ１２を制御する処理）を実行(ステップＳ１０７)してから、再び、Ａ〜Ｈボタン等の押下等を監視する処理(ステップＳ１０４）を開始する。
【００３８】
操作パネルユニット１３は、パネル２０が開かれた場合(ステップＳ１０４：パネル開)には、Ａ〜Ｈボタンに関するボタン割付を複合機用割付（図６）に戻す処理(ステップＳ１０８)を行う。そして、操作パネルユニット１３は、Ａ〜ＨボタンのＬＥＤを全て消灯させて(ステップＳ１０９)から、パネルＳＷ２６の状態に応じた動作モード（第１複合機モード，第２複合機モード，或いは、ビューワモード）での動作を開始する。
【００３９】
《第１複合機モード》
第１複合機モードは、操作パネルユニット１３が図８に示した手順で動作する動作モードである。なお、図８に示した流れ図は、コピー機能に関する処理手順のみを示したものである。第１複合機モードで動作している操作パネルユニット１３がファクシミリ機能，スキャンデータ保存機能に関して実行する処理は、図８の処理と類似したものであるため、当該処理の詳細説明は省略することにする。
【００４０】
すなわち、第１複合機モードでの動作を開始した操作パネルユニット１３は、まず、カラーＬＣＤ２１等の動作を開始させる（カラーＬＣＤ２１及びタッチスクリーン３１の双方が機能している状態とする）ための処理(ステップＳ２０１)を行う。
【００４１】
次いで、操作パネルユニット１３は、コピー条件（後述するステップＳ２０９におけるコピー制御処理で使用される情報）をデフォルトのものに初期化する処理(ステップＳ２０２)と、タッチスクリーン３１上に操作用画面（図３参照）を表示する処理(ステップＳ２０２)とを、行う。
【００４２】
その後、操作パネルユニット１３は、コピー条件を設定する操作がなされること（操作用画面上のボタンや自ユニットに設けられている各種ボタンが押下されること），パネル２０が閉じられること，省電力モード移行条件が満たされること（無操作時間が所定時間となったこと）などを監視する処理(ステップＳ２０４)を、開始する。
【００４３】
そして、操作パネルユニット１３は、コピー条件を設定する操作がなされた場合(ステップＳ２０４；条件設定)には、コピー条件，操作用画面の内容を，押下されたボタンに応じた内容のものに変更する処理(ステップＳ２０５)を行ってから、再び、各種イベントの発生を監視している状態(ステップＳ２０４）となる。
【００４４】
また、操作パネルユニット１３は、コピー機モード利用ボタン３２（図２参照）が押下された場合(ステップＳ２０４；利用ボタン押下)には、コピー機モード利用ボタン３２（図では、利用ボタン）のＬＥＤの状態を変更する（点灯／消灯を切り換える）処理(ステップＳ２０６)を行ってから、各種イベントの発生を監視している状態(ステップＳ２０４）となる。
【００４５】
また、スタートボタンが押下された場合(ステップＳ２０４：スタートボタン押下)、操作パネルユニット１３は、その時点におけるコピー条件に応じた内容のコピー制御処理を実行(ステップＳ２０９)してから、各種イベントの発生を監視している状態(ステップＳ２０４）に戻る。
【００４６】
また、操作パネルユニット１３は、操作用画面上のプレビューボタン３５（図３），或いは，パネル２０に設けられているプレビュー／プリントボタン２５が押下された場合(ステップＳ２０４；プレビュー指示操作)には、プレビュー画像表示処理(ステップＳ２０７)を行う。
【００４７】
このプレビュー画像表示処理時、操作パネルユニット１３は、その時点におけるコピー条件でのコピー結果を表すプレビュー画像をカラーＬＣＤ２１上に表示する処理を行う。より具体的には、操作パネルユニット１３は、スキャナ１１に原稿の画像データ（比較的に低解像度のもの）を生成させ、当該画像データに画像処理を施し、画像処理後の画像データをカラーＬＣＤ２１に供給する処理を行う。
【００４８】
また、プレビュー画像表示処理時、操作パネルユニット１３は、タッチスクリーン３１に既に表示されている操作用画面上に、現在のコピー条件が示された画面であるとともに、コピー開始ボタン及び設定変更ボタンを備えた画面であるコピー条件提示画面を表示する処理も行う。
【００４９】
そして、操作パネルユニット１３は、スタートボタン，コピー条件提示画面上のコピー開始ボタン／設定変更ボタンが押下された際に、コピー条件提示画面をタッチスクリーン３１上から消去してから，プレビュー画像表示処理を終了する。
【００５０】
プレビュー画像表示処理（ステップＳ２０７）を終了した操作パネルユニット１３は、プレビュー画像表示処理が設定変更ボタンの押下により終了された場合(ステップＳ２０８；ＮＯ)には、ステップＳ２０４に戻って、各種イベントの発生（ユーザによるコピー条件設定操作等）を監視する状態となる。
【００５１】
一方、スタートボタン／コピー開始ボタンの押下によりプレビュー画像表示処理が終了された場合(ステップＳ２０８；ＹＥＳ)、操作パネルユニット１３は、コピー制御処理を実行(ステップＳ２０９)してから、各種イベントの発生を監視している状態(ステップＳ２０４）に戻る。
【００５２】
操作パネルユニット１３は、パネルＳＷ２６が操作されたことを検出した場合(ステップＳ２０４；パネルＳＷ操作)には、パネルＳＷ２６の状態に応じた動作モード（第２複合機モード，或いは、ビューワモード）での動作を開始し、パネル２０が閉じられたことを検出した場合(ステップＳ２０４；パネル閉)には、コピー機モード利用ボタン３２の状態に応じた動作モード（コピー機モード，或いは，省電力モード）での動作を開始する。
【００５３】
また、操作パネルユニット１３は、無操作時間が所定時間となった場合(ステップＳ２０４；省電力モード移行条件充足)には、省電力モードでの動作を開始する。
【００５４】
《第２複合機モード》
第２複合機モードは、操作パネルユニット１３が図９に示した手順で動作する動作モードである。なお、この図９の流れ図は、図８の流れ図と同様に、コピー機能に関する処理手順のみを示したものとなっている。
【００５５】
すなわち、第２複合機モードでの動作を開始した操作パネルユニット１３は、まず、カラーＬＣＤ２１の動作を停止させ、タッチスクリーン３１の動作を開始させる（カラーＬＣＤ２１が機能しておらず、タッチスクリーン３１が機能している状態とする）ための処理(ステップＳ３０１)を行う。
【００５６】
その後、操作パネルユニット１３は、ステップＳ２０２〜Ｓ２０６，Ｓ２０９（図８）と同内容の処理を、それぞれ、ステップＳ３０２〜Ｓ３０６，Ｓ３０９で行う状態となる。
【００５７】
すなわち、操作パネルユニット１３は、ユーザによる各種指示操作に対して、第１複合機モード時と同様に応答する状態となる。
【００５８】
ただし、操作パネルユニット１３は、操作用画面上のプレビューボタン３５（図３）が押下された場合(ステップＳ３０４；プレビュー指示操作)には、プレビュー画像表示処理ではなく、状況通知画面表示処理(ステップＳ３０７)を行う。
【００５９】
この状況通知画面表示処理は、プレビューが行えない状況にある旨（プレビューを行うためには、パネルＳＷ２６を“プレビュー”にセットする必要がある旨）が示された状況通知画面を、操作用画面上（タッチスクリーン３１上に既に表示されている画面上）に表示する処理である。また、状況通知画面表示処理は、状況通知画面上の確認ボタンが押下された際に、状況通知画面が消去されてから終了する処理となっており、状況通知画面表示処理を終えた操作パネルユニット１３は、各種イベントの発生を監視している状態(ステップＳ３０４)となる。
【００６０】
以上の説明から明らかなように、本実施形態に係る複合機１０（操作パネルユニット１３）は、コピー機利用モードボタン３２，パネルＳＷ２６の状態等に応じて、図１０に示したような動作モード遷移を行う装置として構成されている。なお、この図１０は、カラーＬＣＤ２１，タッチスクリーン３１のことを、それぞれ、“ＬＣＤ”，“ＴＳ”と表記し、ビューワモード，第１複合機モード間の動作モード遷移の表示を省略した図となっている。
【００６１】
そして、コピー機モードで動作している複合機１０は、タッチスクリーン３１及びカラーＬＣＤ２１が隠れた状態（図２(Ｂ)参照）で、Ａ〜Ｈボタン及びスタートボタンの操作により各種コピーが行える（図７参照）ものとなっている。従って、この複合機１０は、余分な情報がユーザに示されない分、操作が容易な（操作が容易そうに思える）装置として機能することになる。
【００６２】
また、複合機１０は、操作パネルユニット１３（本体１５）上に設けられているＡ〜Ｈボタンの割付を，パネル２０が開かれているか閉じられているかによって変更する機能を有している。従って、複合機１０は、パネル２０が閉じられている状態で各種設定を行うための専用のボタン群を設けておかなくても製造可能な装置（つまり、安価に製造可能な装置）となっていることにもなる。
【００６３】
《変形形態》
上記した複合機１０は、各種の変形を行うことが出来る。例えば、操作パネルユニット１３を、パネルＳＷ２６が“プレビュー”にセットされていない場合、プレビューボタン３５をグレイ表示する（機能しないボタン）とするユニットに変形することが出来る。また、パネルＳＷ２６が“プレビュー”にセットされていない場合に、プレビューボタン３５を機能させる（プレビューボタン３５押下時に状況通知画面を表示させる）か否かを設定できるユニットに変形することも出来る。
【００６４】
また、操作パネルユニット１３を、ＵＳＢメモリ以外のメディアも装着可能なユニットに変形しても良いことや、複合機１０を、１台の装置として実現しても良いことなどは、当然のことである。
【図面の簡単な説明】
【００６５】
【図１】実施形態に係る複合機の構成図。
【図２】実施形態に係る操作パネルユニットの外観図。
【図３】操作パネルユニットの外観図。
【図４】ビューワモード時の操作パネルユニットの状態を説明するための図。
【図５】コピー機モード時の操作パネルユニットの動作手順を示した流れ図。
【図６】複合機用割付，コピー機用割付の説明図。
【図７】Ａ〜Ｈボタン内のＬＥＤの制御方法の説明図。
【図８】コピー機モード時の操作パネルユニットの動作手順を示した流れ図。
【図９】コピー機モード時の操作パネルユニットの動作手順を示した流れ図。
【図１０】操作パネルユニットの各動作モードの関係を示した図。
【符号の説明】
【００６６】
１０  複合機、  １１  スキャナ、  １２  プリンタ
１３  操作パネルユニット、  １５  本体、  ２０  パネル
２１  カラーＬＣＤ、  ２２  十字ボタン、  ２３  キャンセルボタン
２４  メニューボタン、  ２５  プレビュー／プリントボタン
２６  パネルスイッチ（パネルＳＷ）、  ３１  タッチスクリーン
３２  コピー機モード利用ボタン、  ３５  プレビューボタン
【図１】
2007088696.tif 000003
【図２】
2007088696.tif 000004
【図３】
2007088696.tif 000005
【図４】
2007088696.tif 000006
【図５】
2007088696.tif 000007
【図６】
2007088696.tif 000008
【図７】
2007088696.tif 000009
【図８】
2007088696.tif 000010
【図９】
2007088696.tif 000011
【図１０】
2007088696.tif 000012